【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
インクビヒクルと、前記インクビヒクルに溶解および／または分散された結合剤およびβ−ヒドロキシアルキルアミジル含有成分とを含むインクジェットインク組成物であって、
前記β−ヒドロキシアルキルアミジル含有成分が式（Ｉ）または（ＩＩ）
【化１】
2009535486.tif 000001
であり、
各Ｑ’は、独立して、Ｑ、水素、１〜５個の炭素原子を有するアルキル基、および１〜５個の炭素原子を有するＱ以外のヒドロキシアルキル基からなる群から選択され、
Ｒ１、Ｒ２、Ｒ３およびＲ４の各々は、独立して、水素および１〜５個の炭素原子を有するアルキル基からなる群から選択され、但し、Ｒ１、Ｒ２、Ｒ３およびＲ４は対で結合して、５〜１２個の炭素原子を有する環式アルキルを形成することが可能であり、
式（Ｉ）に関して、
ｎは１または２であり、
ｎが１であるとき、Ｚは、ＮＲ５Ｒ６、ＯＲ５およびＳＲ５からなる群から選択され、ここで、Ｒ５およびＲ６の各々は、独立して、水素、Ｑ、１〜２４個の炭素原子を含む飽和、不飽和、置換のアルキルまたはアリールなどの有機基からなる群から選択され、
ｎが２であるとき、Ｚは、１〜２４個の炭素原子を含む飽和、不飽和、置換のアルキルまたはアリールから誘導されたような多価有機基であり、
式（ＩＩ）に関して、
ｎ’は２以上であり、
各Ｚ’は、独立して、ＮＲ５、ＯおよびＳからなる群から選択され、
各Ｒ５は、独立して、水素、Ｑ、１〜２４個の炭素原子を含む飽和、不飽和、置換のアルキルまたはアリールなどの有機基からなる群から選択され、
Ｚ”は、１〜２４個の炭素原子を含む飽和、不飽和、置換のアルキルまたはアリールから誘導された少なくともｎ’価の有機基から選択される）
によって表され、
前記結合剤はポリウレタンであり、かつ前記インク組成物の全重量を基準にして少なくとも２重量％であり、
前記インクビヒクルは水性であり、かつ水性ビヒクルの全重量を基準として６５重量％から９５重量％の水を含有し、
前記インクジェットインクは、２０ダイン／ｃｍ（２０ｍＮ／ｍ）〜７０ダイン／ｃｍ（７０ｍＮ／ｍ）の範囲内の表面張力、および２５℃で１ｃＰ（１ｍＰａ・ｓ）〜３０ｃＰ（３０ｍＰａ・ｓ）の範囲内の粘度を有する
ことを特徴とするインクジェットインク組成物。
【請求項２】
前記インク組成物が、前記インク組成物の全重量を基準にして０．２〜１２重量％の前記β−ヒドロキシアルキルアミジル含有成分を含むことを特徴とする請求項１に記載のインクジェットインク組成物。
【請求項３】
前記インク組成物の全重量を基準にして０．１〜３０重量％の着色剤を含むことを特徴とする請求項１に記載のインクジェットインク組成物。
【請求項４】
前記着色剤が顔料を含むことを特徴とする請求項３に記載のインクジェットインク組成物。
【請求項５】
前記β−ヒドロキシアルキルアミジル含有成分がＮ，Ｎ，Ｎ’，Ｎ’−テトラキス（２−ヒドロキシプロピル）アジパミドであることを特徴とする請求項１に記載のインクジェットインク組成物。
【請求項６】
前記β−ヒドロキシアルキルアミジル含有成分がＮ，Ｎ，Ｎ’，Ｎ’−テトラキス（２−ヒドロキシエチル）アジパミドであることを特徴とする請求項１に記載のインクジェットインク組成物。
【請求項７】
前記β−ヒドロキシアルキルアミジル含有成分が式（ＩＩＩ）
【化２】
2009535486.tif 000002
（式中、
Ａは、１〜２４個の炭素原子を含む飽和、不飽和、置換のアルキルまたはアリールから誘導された二価有機基であり、
Ｒ７およびＲ８は、独立して、水素、１〜５個の炭素原子を有する低級アルキル、および１〜５個の炭素原子を有するヒドロキシアルキルからなる群から選択され、
Ｒ９、Ｒ１０、Ｒ１１、Ｒ１２、Ｒ１３、Ｒ１４、Ｒ１５およびＲ１６は、それぞれ独立して、水素、１〜５個の炭素原子を有する直鎖または分岐鎖の低級アルキルからなる群から選択され、但し、Ｒ９、Ｒ１０、Ｒ１１、Ｒ１２およびＲ１３、Ｒ１４、Ｒ１５、Ｒ１６を対で結合して、５〜１２個の炭素原子を有する環式アルキルを形成することが可能である）
によって表わされる式（Ｉ）から選択されることを特徴とする請求項１に記載のインクジェットインク組成物。
【請求項８】
前記β−ヒドロキシアルキルアミジル含有成分が式（ＩＶ）
【化３】
2009535486.tif 000003
（式中、
Ｒ５は、水素、Ｑ、１〜２４個の炭素原子を含む飽和、不飽和、置換のアルキルまたはアリールなどの有機基からなる群から選択され、
Ｒ１７は、水素、１〜５個の炭素原子を有する低級アルキルおよび１〜５個の炭素原子を有するヒドロキシアルキルからなる群から選択され、
Ｒ１８、Ｒ１９、Ｒ２０、Ｒ２１は、それぞれ独立して、水素、１〜５個の炭素原子を有する直鎖または分岐鎖の低級アルキルからなる群から選択され、但し、Ｒ１８、Ｒ１９、Ｒ２０、Ｒ２１を対で結合して、５〜１２個の炭素原子を有する環式アルキルを形成することが可能である）
によって表わされる式（ＩＩ）から選択されることを特徴とする請求項１に記載のインクジェットインク組成物。
【請求項９】
前記組成物が酸性インク成分または無水性インク成分を更に含むことを特徴とする請求項１に記載のインクジェットインク組成物。
【請求項１０】
少なくとも３種の異なる色のインクジェットインクを含むインクジェットインクセットであって、前記インクの少なくとも１種が請求項１から９のいずれか１項に記載のインクジェットインク組成物であることを特徴とするインクジェットインクセット。
【請求項１１】
少なくとも３種の異なる色のインクジェットインクおよび無色インクを含むインクジェットインクセットであって、前記インクの少なくとも１種が請求項１から８のいずれか１項に記載のインクジェットインク組成物であり、前記無色インクが酸性インク成分または無水物インク成分を含むことを特徴とするインクジェットインクセット。
【手続補正２】
【補正対象書類名】明細書
【補正対象項目名】０１２１
【補正方法】変更
【補正の内容】
【０１２１】
本発明を以下の実施例によって更に今例示するが、本発明は以下の実施例によって限定されない。
以下に、本発明の好ましい態様を示す。
［１］  インクビヒクルと、前記インクビヒクルに溶解および／または分散された結合剤およびβ−ヒドロキシアルキルアミジル含有成分とを含むインクジェットインク組成物であって、
前記β−ヒドロキシアルキルアミジル含有成分が式（Ｉ）または（ＩＩ）
【化４】
2009535486.tif 000004
であり、
各Ｑ’は、独立して、Ｑ、水素、１〜５個の炭素原子を有するアルキル基および１〜５個の炭素原子を有するヒドロキシアルキル基（Ｑ以外）からなる群から選択され、
Ｒ１、Ｒ２、Ｒ３およびＲ４の各々は、独立して、水素および１〜５個の炭素原子を有するアルキル基からなる群から選択され、但し、Ｒ１、Ｒ２、Ｒ３およびＲ４は対で結合して、５〜１２個の炭素原子を有する環式アルキルを形成することが可能であり、
式（Ｉ）に関して、
ｎは１または２であり、
ｎが１であるとき、Ｚは、ＮＲ５Ｒ６、ＯＲ５およびＳＲ５からなる群から選択され、ここで、Ｒ５およびＲ６の各々は、独立して、水素、Ｑ；、１〜２４個の炭素原子を含む飽和、不飽和、置換のアルキルまたはアリールなどの有機基からなる群から選択され、
ｎが２であるとき、Ｚは、１〜２４個の炭素原子を含む飽和、不飽和、置換のアルキルまたはアリールから誘導されたような多価有機基であり、
式（ＩＩ）に関して、
ｎ’は２以上であり、
各Ｚ’は、独立して、ＮＲ５、ＯおよびＳからなる群から選択され、
各Ｒ５は、独立して、水素、Ｑ；、１〜２４個の炭素原子を含む飽和、不飽和、置換のアルキルまたはアリールなどの有機基からなる群から選択され、
Ｚ”は、１〜２４個の炭素原子を含む飽和、不飽和、置換のアルキルまたはアリールから誘導された少なくともｎ’価の有機基から選択される）
によって表され、
前記結合剤が前記インクの全重量を基準にして少なくとも２重量％であることを特徴とするインクジェットインク組成物。
［２］  前記結合剤が、ポリウレタン分散液、ウレタンアクリル混成物、アクリル樹脂、スチレンアクリル樹脂、スチレンブタジエン樹脂、スチレンブタジエンアクリロニトリル樹脂、ネオプレン樹脂、エチレンアクリル酸樹脂、エチレン酢酸ビニルエマルジョンおよびラテックスからなる群から選択され、前記結合剤が単独で用いられるか、またはかかる群の他のメンバーと組み合わせて用いられることを特徴とする［１］に記載のインクジェットインク組成物。
［３］  前記結合剤がポリウレタンであることを特徴とする［１］に記載のインクジェットインク組成物。
［４］  前記インクが前記インクの全重量を基準にして約０．２〜約１２重量％の前記β−ヒドロキシアルキルアミジル含有成分を含むことを特徴とする［１］に記載のインクジェットインク組成物。
［５］  着色剤を含むことを特徴とする［１］に記載のインクジェットインク組成物。
［６］  前記インクが前記インクの全重量を基準にして約０．１〜約３０重量％の着色剤を含むことを特徴とする［５］に記載のインクジェットインク組成物。
［７］  前記着色剤が顔料を含むことを特徴とする［６］に記載のインクジェットインク組成物。
［８］  約２０ダイン／ｃｍ〜約７０ダイン／ｃｍの範囲内の表面張力、および２５℃で約１ｃＰ〜約３０ｃＰの範囲内の粘度を有するであることを特徴とする［１］に記載のインクジェットインク組成物。
［９］  前記インクビヒクルが水性であることを特徴とする［１］に記載のインクジェットインク組成物。
［１０］  前記β−ヒドロキシアルキルアミジル含有成分がＮ，Ｎ，Ｎ’，Ｎ’−テトラキス（２−ヒドロキシプロピル）アジパミドであることを特徴とする［１］に記載のインクジェットインク組成物。
［１１］  前記β−ヒドロキシアルキルアミジル含有成分がＮ，Ｎ，Ｎ’，Ｎ’−テトラキス（２−ヒドロキシエチル）アジパミドであることを特徴とする［１］に記載のインクジェットインク組成物。
［１２］  前記β−ヒドロキシアルキルアミジル含有成分が、明細書中で定義された式（ＩＩＩ）によって表される式（Ｉ）の化合物から選択されることを特徴とする［１］に記載のインクジェットインク組成物。
［１３］  前記β−ヒドロキシアルキルアミジル含有成分が、明細書中で定義された式（ＩＶ）によって表される式（ＩＩ）の化合物から選択されることを特徴とする［１］に記載のインクジェットインク組成物。
［１４］  前記組成物が前記インクの一部として酸性インク成分または無水性インク成分を更に含むか、または酸性インク成分または無水物インク成分が、前記インクジェットインク組成物とともに噴出される別の無色インクの一部であることを特徴とする［１］に記載のインクジェットインク組成物。
［１５］  少なくとも３種の異なる色のインクジェットインクを含むインクジェットインクセットであって、前記インクの少なくとも１種が［１］〜［１３］のいずれか１項に記載のインクジェットインク組成物であることを特徴とするインクジェットインクセット。
［１６］  前記インクセットが
（ａ）第１の水性ビヒクルと、結合剤と、第１の着色剤と第１のβ−ヒドロキシアルキルアミジルとを含む第１の着色インクであって、前記第１の着色剤が前記第１の水性ビヒクルに可溶性または分散性であり、前記結合剤が全インクを基準にして少なくとも約２重量％である第１の着色インクと、
（ｂ）第２の水性ビヒクルと、結合剤と、第２の着色剤と第２のβ−ヒドロキシアルキルアミジルとを含む第２の着色インクであって、前記第２の着色剤が前記第２の水性ビヒクルに可溶性または分散性であり、前記結合剤が全インクを基準にして少なくとも約２重量％である第２の着色インクと、
（ｃ）第３の水性ビヒクルと、結合剤と、第３の着色剤と第３のβ−ヒドロキシアルキルアミジルとを含む第３の着色インクであって、前記第３の着色剤が前記第３の水性ビヒクルに可溶性または分散性であり、前記結合剤が全インクを基準にして少なくとも約２重量％である第３の着色インクと
を含むことを特徴とする［１０］に記載のインクジェットインクセット。
［１７］  前記第１の着色インクがシアンインクであり、前記第２の着色インクがマゼンタインクであり、前記第３の着色インクがイエローインクであることを特徴とする［１６］に記載のインクジェットインクセット。
［１８］  （ｄ）第４の水性ビヒクルと、結合剤と、第４の着色剤と第４のβ−ヒドロキシアルキルアミジルとを含む第４の着色インクであって、前記第４の着色剤が前記第４の水性ビヒクルに可溶性または分散性であり、前記結合剤が全インクを基準にして少なくとも約２重量％である第４の着色インクを更に含むことを特徴とする［１６］に記載のインクジェットインクセット。
［１９］  前記第４の着色インクがブラックインクであることを特徴とする［１８］に記載のインクジェットインクセット。
［２０］  基材上にインクジェット印刷する方法であって、
（ａ）デジタルデータ信号に応答するインクジェットプリンタを準備する工程と、
（ｂ）印刷される基材を前記プリンタに装填する工程と、
（ｃ）［１］〜［１４］のいずれか１項に記載のインクまたは［１５］〜［１９］のいずれか１項に記載のインクジェットインクセットを前記プリンタに装填する工程と、
（ｄ）デジタルデータ信号に応答して前記インクまたは前記インクジェットインクセットを用いて前記基材上に印刷する工程と
を含むことを特徴とする方法。
［２１］  前記基材が織物であることを特徴とする［２０］に記載の方法。
［２２］  前記織物を少なくとも１分にわたり少なくとも１２５℃に加熱することにより前記印刷された基材を後処理することを特徴とする［２１］に記載の方法。
［２３］  前記印刷された織物が少なくとも２．５の洗濯堅牢度（２Ａ試験としてＡＡＴＣＣ試験方法６１−１９６６に準拠して測定される）を有することを特徴とする［２０］に記載の方法。